(57)【要約】【課題】  短時間で簡単に検査することができる調光装置を提供すること。【解決手段】  調光装置１は、複数の調光部３ａ、３ｂ、・・・、３ｎと、調光部３ａ、３ｂ、・・・、３ｎのうちから少なくとも一つの調光部を選択する選択部６と、選択部６で選択された調光部３ａ、３ｂ、・・・、３ｎの識別番地７、調光部３ａ、３ｂ、・・・、３ｎを制御する制御信号８、調光部３ａ、３ｂ、・・・、３ｎから照明器具９ａ、９ｂ、・・・、９ｎへの供給電力の電圧波形又は電流波形からなる出力波形１０又は調光部３ａ、３ｂ、・・・、３ｎに接続される電源１１からの入力電力の電圧波形又は電流波形からなる入力波形１２等の調光情報１３を表示する表示部１４と、調光部３ａ、３ｂ、・・・、３ｎの夫々の調光情報１３に対する各基準情報４が読み出し自在に記憶された記憶部５とを具備している。【選択図】図１
2006134820.tif 000002
【特許請求の範囲】
【請求項１】
複数の調光部と、複数の調光部のうちから少なくとも一つの調光部を選択する選択部と、選択部で選択された調光部の識別番地、当該調光部を制御する制御信号、当該調光部から照明器具への出力波形又は当該調光部に接続される電源からの入力波形等からなる調光情報を表示する表示部とを具備している調光装置。
【請求項２】
複数の調光部の夫々の調光情報に対する各基準情報が読み出し自在に記憶された記憶部を更に具備しており、表示部は、選択部で選択された調光部に応じて記憶部から読み出された基準情報と選択された調光部の調光情報とを同時的に表示するようになっている請求項１に記載の調光装置。
【請求項３】
表示部は、液晶表示パネルを有している請求項１又は２に記載の調光装置。
【発明の詳細な説明】
【技術分野】
【０００１】
本発明は、舞台、スタジオ、ホール等に用いられる照明器具の調光を行う調光装置に関する。
【背景技術】
【０００２】
【特許文献１】特開２０００−３１１７９１号公報
【０００３】
例えば特許文献１においては、調光操作卓の複数の調光用のフェーダの操作により発生する制御信号に基づいて電力を調節して照明器具の調光を行う調光装置が提案されている。
【発明の開示】
【発明が解決しようとする課題】
【０００４】
ところで、斯かる調光装置では、例えば保守点検や異常発生時における点検の際には、オシロスコープ等からなる測定器を当該調光装置に接続し、接続した測定器を用いて検査することとなる結果、短時間で簡単に検査することが困難である。また、斯かる検査は、調光装置が複数の照明器具を夫々調光する複数の調光部を有している場合には、複数の調光部の夫々に対して測定器を接続等することとなる結果、短時間で簡単に検査することが更に困難となる。
【０００５】
本発明は、前記諸点に鑑みてなされたものであり、その目的とするところは、短時間で簡単に検査することができる調光装置を提供することにある。
【課題を解決するための手段】
【０００６】
本発明の調光装置は、複数の調光部と、複数の調光部のうちから少なくとも一つの調光部を選択する選択部と、選択部で選択された調光部の識別番地、当該調光部を制御する制御信号、当該調光部から照明器具への出力波形又は当該調光部に接続される電源からの入力波形等からなる調光情報を表示する表示部とを具備している。
【０００７】
本発明の調光装置によれば、特に、複数の調光部のうちから少なくとも一つの調光部を選択する選択部と、選択部で選択された調光部の調光情報を表示する表示部とを具備しているために、オシロスコープ等の接続作業等を必要とせずに短時間で簡単に検査することができる。
【０００８】
本発明の調光装置の好ましい例では、複数の調光部の夫々の調光情報に対する各基準情報が読み出し自在に記憶された記憶部を更に具備しており、表示部は、選択部で選択された調光部に応じて記憶部から読み出された基準情報と選択された調光部の調光情報とを同時的に表示するようになっている。このような例によれば、基準情報と調光情報との対比を容易に行うことができて、より短時間で簡単に検査することができる。
【０００９】
本発明の上述の調光装置では、表示部が液晶表示パネルを有していてもよい。
【発明の効果】
【００１０】
本発明によれば、短時間で簡単に検査することができる調光装置を提供し得る。
【発明を実施するための最良の形態】
【００１１】
次に、本発明の実施の形態の例を、図に示す例に基づいて更に詳細に説明する。尚、本発明はこれら例に何等限定されないのである。
【実施例】
【００１２】
図１から図６において、本例の調光装置１は、複数の調光部３ａ、３ｂ、・・・、３ｎと、調光部３ａ、３ｂ、・・・、３ｎのうちから少なくとも一つの調光部を選択する選択部６と、選択部６で選択された調光部３ａ、３ｂ、・・・、３ｎの識別番地７、当該調光部３ａ、３ｂ、・・・、３ｎを制御する制御信号８、当該調光部３ａ、３ｂ、・・・、３ｎから照明器具９ａ、９ｂ、・・・、９ｎへの供給電力の電圧波形又は電流波形からなる出力波形１０又は当該調光部３ａ、３ｂ、・・・、３ｎに接続される電源１１からの入力電力の電圧波形又は電流波形からなる入力波形１２等の調光情報１３を表示する表示部１４と、調光部３ａ、３ｂ、・・・、３ｎの夫々の調光情報１３に対する各基準情報４が読み出し自在に記憶された記憶部５とを具備している。
【００１３】
識別番地７は、予め設定されたプログラムや調光操作卓（図示せず）の調光用フェーダ（図示せず）の操作等に基づいて調光装置１に対する制御信号８を発生して当該調光装置１の作動を制御する制御部２１との通信において識別可能に調光部３ａ、３ｂ、・・・、３ｎの夫々に割り当てられており、例えば「０００１」、「００１０」のように符号化されてなる。制御部２１から調光装置１への制御信号８は、いわゆるＤＭＸ（ＤＭＸ５１２）信号からなっていてもよく、斯かる信号には、例えば図４に示すように、少なくとも複数の調光部３ａ、３ｂ、・・・３ｎの夫々を識別するための識別情報５１及び識別情報５１に基づいて識別される調光部３ａ、３ｂ、・・・３ｎから照明器具９ａ、９ｂ、・・・９ｎへの供給電力の大きさを制御するための電力制御情報５２が含まれる。表示部１４に表示される出力波形１０及び入力波形１２は、照明器具９ａ、９ｂ、・・・、９ｎに供給される交流電力及び電源１１からの交流電力の時間軸に対する電圧波形又は電流波形であってもよく、リサージュ波形であってもよい。商用電源からなる交流の電源１１からの入力波形１２は、表示部１４に表示され得る。電源１１が三相の場合には、入力波形１２は、各相毎に表示されると好ましい。照明器具９ａ、９ｂ、・・・、９ｎは、ハロゲンランプ等からなる光源を有している。
【００１４】
調光装置１には、信号線２２並びに給電線２３及び２４が接続される端子も設けられている。調光装置１の操作面１５には、選択部６の選択スイッチ３１及び切替スイッチ３２並びに表示部１４の液晶表示パネル４１が視認及び操作可能に配設されている。
【００１５】
夫々互いに並んで配された調光部３ａ、３ｂ、・・・、３ｎは、例えば図２に示すように、制御信号８を発生する制御部２１に信号線２２を介して接続され、電源１１及び照明器具９ａ、９ｂ、・・・、９ｎに給電線２３及び２４を介して接続されている。調光部３ａ、３ｂ、・・・、３ｎは、制御信号８に基づいて照明器具９ａ、９ｂ、・・・、９ｎへの供給電力の大きさを夫々調節して当該照明器具９ａ、９ｂ、・・・、９ｎの調光を行うようになっている。
【００１６】
記憶部５は、調光部３ａ、３ｂ、・・・、３ｎの夫々の調光情報１３に対する複数の基準情報４が記憶されているＲＯＭ、ＲＡＭ等からなるメモリを有しており、このメモリから表示部１４で表示されるべき基準情報４を読み出して表示部１４に出力するようになっている。基準情報４は、調光装置１の正常作動時における調光情報１３と同一の情報を有しており、斯かる情報には、図３に示すように、基準となる識別番地７ｓ、制御信号８ｓ、出力波形１０ｓ及び入力波形１２ｓが含まれる。
【００１７】
信号線２２及び給電線２３及び２４に接続されている選択部６は、本例では、表示部１４の近傍に配されていると共に調光部３ａ、３ｂ、・・・３ｎのうちのいずれか一つを選択する選択スイッチ３１と、表示部１４の近傍に配されていると共に選択スイッチ３１の操作により選択された調光部の調光情報１３であって表示部１４で表示されるべき識別番地７、制御信号８、出力波形１０及び入力波形１２の切替を行う切替スイッチ３２とを具備しており、選択スイッチ３１及び切替スイッチ３２の操作に基づいて調光部３ａ、３ｂ、・・・、３ｎのいずれかに関する識別番地７、制御信号８、出力波形１０又は入力波形１２を表示部１４に出力すると共に選択データ及び切替データを生成して記憶部５に送信するようになっている。尚、記憶部５は、選択データ及び切替データに基づいて表示部１４に表示されるべき基準としての識別番地７ｓ、制御信号８ｓ、出力波形１０ｓ又は入力波形１２ｓを表示部１４に出力する。
【００１８】
表示部１４は、複数の調光部３ａ、３ｂ、・・・、３ｎの近傍に配された液晶表示パネル４１を有しており、選択部６から出力される識別番地７、制御信号８、出力波形１０又は入力波形１２と記憶部５から出力される識別番地７ｓ、制御信号８ｓ、出力波形１０ｓ又は入力波形１２ｓを演算処理により表示可能なデータに変換して液晶表示パネル４１に表示するようになっている。
【００１９】
表示部１４は、例えば図５及び図６の夫々に示すように、選択部６で選択された調光部３ａ、３ｂ、・・・、３ｎに応じて記憶部５から読み出された基準情報４と選択された調光部３ａ、３ｂ、・・・、３ｎの調光情報１３とを同時的に表示するようになっていてもよい。
【００２０】
表示部１４には、選択スイッチ３１及び切替スイッチ３２の操作に基づいて識別番地７及び７ｓ、制御信号８及び８ｓ、出力波形１０及び１０ｓ並びに入力波形１２及び１２ｓが適宜組み合わされて表示されるようになっていてもよく、例えば図５に示すように、識別番地７、出力波形１０及び入力波形１２が組み合わされて表示されてもよく、例えば図６に示すように、識別番地７及び７ｓと出力波形１０及び１０ｓとが組み合わされて表示されてもよく、また、図示しないが入力波形１２及び１２ｓが組み合わされて表示されてもよい。
【００２１】
記憶部５、選択部６及び表示部１４を作動させるための電源は、調光部３ａ、３ｂ、・・・、３ｎを作動させるための電源とは別個に入切可能となっている。
【００２２】
本例の調光装置１において保守点検等における検査を行う場合には、まず、記憶部５、選択部６及び表示部１４を作動させるための電源を入れる。
【００２３】
次に、選択スイッチ３１の操作により例えば調光部３ａを選択し、続いて、切替スイッチ３２の操作により表示されるべき調光情報１３を液晶表示パネル４１に表示させる。ここで、選択スイッチ３１及び切替スイッチ３２の操作に基づいて液晶表示パネル４１には、調光情報１３と同時的に基準情報４も表示されるので、調光情報１３と基準情報４との一致及び不一致を容易に視認することができる。調光部３ａ、３ｂ、・・・、３ｎの夫々の調光情報１３のうちの調光部３ａの調光情報１３以外の各調光情報１３は、調光部３ａの調光情報１３の検査に続いて、選択スイッチ３１及び切替スイッチ３２の操作により夫々同様に検査することができる。
【００２４】
最後に、記憶部５、選択部６及び表示部１４を作動させるための電源を切ることにより調光装置１の検査を終了する。
【００２５】
以上の調光装置１によれば、複数の調光部３ａ、３ｂ、・・・、３ｎと、複数の調光部３ａ、３ｂ、・・・、３ｎのうちから少なくとも一つの調光部を選択する選択部６と、選択部６で選択された調光部３ａ、３ｂ、・・・、３ｎの識別番地７、当該調光部３ａ、３ｂ、・・・、３ｎを制御する制御信号８、当該調光部３ａ、３ｂ、・・・、３ｎから照明器具９ａ、９ｂ、・・・、９ｎへの出力波形１０又は当該調光部３ａ、３ｂ、・・・、３ｎに接続される電源１１からの入力波形１２等からなる調光情報１３を表示する表示部１４とを具備しているために、オシロスコープ等の接続作業等を必要とせずに短時間で簡単に検査することができる。
【００２６】
また、調光装置１によれば、複数の調光部３ａ、３ｂ、・・・、３ｎの夫々の調光情報１３に対する各基準情報４が読み出し自在に記憶された記憶部５を更に具備しており、表示部１４は、選択部６で選択された調光部３ａ、３ｂ、・・・、３ｎに応じて記憶部５から読み出された基準情報４と選択された調光部３ａ、３ｂ、・・・、３ｎの調光情報１３とを同時的に表示するようになっているために、基準情報４と調光情報１３との対比を容易に行うことができて、より短時間で簡単に検査することができる。
【００２７】
尚、本例の調光装置１では、記憶部５の構成が省略されてもよく、斯かる場合には、表示部１４には、基準情報４は表示されず、調光情報１３のみが表示される。
【図面の簡単な説明】
【００２８】
【図１】本発明の実施の形態の例の説明図である。
【図２】図１に示す例の概念説明図である。
【図３】図１に示す例の主に基準情報の説明図である。
【図４】図１に示す例の主に制御信号に関する説明図である。
【図５】図１に示す例の主に表示部の表示に関する説明図である。
【図６】図１に示す例の主に表示部の表示に関する説明図である。
【符号の説明】
【００２９】
１  調光装置
３ａ、３ｂ、・・・、３ｎ  調光部
４  基準情報
５  記憶部
６  選択部
７  識別番地
８  制御信号
９ａ、９ｂ、・・・、９ｎ  照明器具
１０  出力波形
１１  電源
１２  入力波形
１３  調光情報
１４  表示部
１５  操作面
５１  識別情報
５２  電力制御情報
【図１】
2006134820.tif 000003
【図２】
2006134820.tif 000004
【図３】
2006134820.tif 000005
【図４】
2006134820.tif 000006
【図５】
2006134820.tif 000007
【図６】
2006134820.tif 000008